(57)【要約】      （修正有）【課題】簡単で信頼性の高い靴紐留め具を提供する。【解決手段】凹凸の表面加工が施された収縮性を有する管状材よりなり、靴紐１の結び目形成部分に被せ、その後、管状材を収縮させ、靴紐１と密着させ、表面加工部が収縮により係り止めとなることを特徴とする靴紐留め具２である。【選択図】図７
0003221128.tif 000002
【実用新案登録請求の範囲】
【請求項１】
表面加工が施された収縮性を有する管状材よりなり、靴紐の結び目形成部分に被せ、その後、該管状材を収縮させ、靴紐と密着させ、表面加工部が収縮により係り止めとなることを特徴とする靴紐留め具。
【請求項２】
前記の管状材の表面加工が、複数の孔を開けることを特徴とする請求項１に記載の靴紐留め具。
【請求項３】
前記の管状材の表面加工が、複数の切り込みを開けることを特徴とする請求項１に記載の靴紐留め具。
【請求項４】
前記の表面加工の孔は、幾何学図形等であることを特徴とする請求項２に記載の靴紐留め具。
【請求項５】
前記の表面加工の孔は、文字形状であることを特徴とする請求項２に記載の靴紐留め具。
【請求項６】
前記の収縮性を有する管状材は、熱により収縮する管状材であることを特徴とする請求項１から請求項５までのいずれか１項に記載の靴紐留め具。
【請求項７】
前記の収縮性を有する管状材は、形状記憶により収縮する管状材であることを特徴とする請求項１から請求項５までのいずれか１項に記載の靴紐留め具。
【請求項８】
前記の収縮性を有する管状材は、弾性を有し、かつ収縮する管状材であることを特徴とする請求項１から請求項７までのいずれか１項に記載の靴紐留め具。
【請求項９】
前記の収縮性を有する管状材の端部にタグが設けられていることを特徴とする請求項１から請求項８までのいずれか１項に記載の靴紐留め具。
【請求項１０】
前記の収縮させた管状材を収縮させて被せた靴紐を結んだ状態の結び目の上部にカバー材が設けられていることを特徴とする請求項１から請求項９までのいずれか１項に記載の靴紐留め具。
【考案の詳細な説明】
【技術分野】
【０００１】
本考案は、靴紐の留め具に関し、特に靴紐の結び目を解けにくくするために、予め靴紐の結び目部分に可撓性及び弾力性を有し、かつ、伸縮製を有する管状カバーによる靴紐の留め具に関する。
【背景技術】
【０００２】
結び目は紐同士が強く押しつけられて形成され、紐の表面の摩擦力でその状態を維持するので、紐の表面摩擦係数を上げることで結び目を解けにくくすることができる。このため過去にはロウや松ヤニなどの、粘着性のある物質を含浸させた紐が存在した。しかしながら、このような紐は風合いが固く、表面にべとつき感があり、ゴミが付着しやすいという問題点を有していた。
【０００３】
また、紐に伸縮性を付与して結び目を解けにくくすることが考えられた。
公開実用新案昭和５３−１０６１３３号公報の実用新案登録請求の範囲には、「丸打組みひもの太番手のスパンデックス糸又は、ゴム糸等の伸縮糸にウーリーナイロン糸でカバーリングした伸縮糸を数本挿入し、該芯糸の外側を被覆する組糸には芯糸より伸縮性のゆるやかなストレッチ糸を用いた伸縮性くつひも」が開示されている。また、考案の詳細な説明には、「伸縮性がありすぎてもクツヒモのしまりが悪いから一定の伸び以上は伸びないよう伸びの限度を備えるように構成するものである」との記載がある。
【０００４】
また、紐の一部に伸縮性を持たせる技術や紐の一部に異なる断面積を持たせる構成も公知である。
例えば、特開２００４−７６２１７号公報では、紐の両端から１０ｃｍ以上３０ｃｍ以下の結び目形成部は、伸縮性を有し、前記紐の残りの中央部は伸縮性を有さず、前記結び目形成部 は、１７．６Ｎ荷重時の伸長率が２０％以上５０％以下である紐が開示されている。
【先行技術文献】
【特許文献】
【０００５】
【特許文献１】公開実用新案昭和５３−１０６１３３号公報
【特許文献２】特開２００４−７６２１７号公報
【考案の概要】
【考案が解決しようとする課題】
【０００６】
しかしながら、例えば靴紐に使用する場合には、公開実用新案昭和５３−１０６１３３号公報のように紐全体に伸縮性があると、靴の甲皮ハトメ部分に、紐の自然長で使用すると、甲部の緊締が弱く靴の中で足が動き、良好なフィット性を得ることができない。また、紐に張力を残して使用すると、紐の復元力により緊締され、フィット性は改善されるが、張力が常に働くので、安静時においても締め付けられ、痛みや疲労を感じるし、紐の使用長さが伸びて結び目が長くなりすぎ、転倒の原因にもなりうる。
【０００７】
特開２００４−７６２１７号公報は、紐の結び目形成部は伸縮性を有し、靴等を締め付ける部分は伸縮性を有さないようにして、結び目の解けにくさとフィット性を両立する紐を実現するものであるが、靴紐の結び目を形成する部分は、伸縮性を発揮させるため太くなっており、靴紐を通す時に引っかかってしまう。
【０００８】
また、従来の靴紐を外して、取り替える必要がある。
【０００９】
本考案は、このような従来の問題を解決する為になされたものであり、靴紐を取り替える必要がなく、使用している靴紐の結び目形成部分において、表面処理された管状の靴紐留め具を被せて、この管状靴紐留め具を収縮させて、表面に凹凸を形成させた状態で靴紐に密着させ、靴紐を結んだ時に、この凹凸部が係止め機能を発揮し、解けにくくさせるものであり、簡単で信頼性の高い靴紐留め具を実現するためになされたものである。
【課題を解決するための手段】
【００１０】
上記の課題を解決するために、本考案の請求項１は、表面加工が施された収縮性を有する管状材よりなり、靴紐の結び目形成部分に被せ、その後、該管状材を収縮させ、靴紐と密着させ、表面加工部が収縮により係り止めとなることを特徴とする靴紐留め具とするものである。
【００１１】
該収縮性を有する管状材は、収縮性を有する管状材であり、表面加工が施されたものであればいずれでも良く、例えば、熱収縮チューブや形状記憶樹脂性チューブなどの表面に凹凸部など係り止め機能を発揮するように形成させたものでも良い。
【００１２】
請求項２は、前記の管状材の表面加工が、複数の孔を開けることを特徴とする請求項１に記載の靴紐留め具とするものである。
【００１３】
該穴は、収縮した時に、係り止め機能を発揮するような形状であればいずれでも良く、丸形状の他に、楕円形や多角形状などでも良い。
【００１４】
請求項３は、前記の管状材の表面加工が、複数の切り込みを開けることを特徴とする請求項１に記載の靴紐留め具とするものである。
【００１５】
該切り込みは、収縮した時に、係り止め機能を発揮するような形状であればいずれでも良く、直線の他に、十字状、破線上などでも良い。
【００１６】
請求項４は、前記の表面加工の孔は、幾何学図形等であることを特徴とする請求項２に記載の靴紐留め具である。
【００１７】
該表面加工の穴は、丸、三角、四角などの一般的な幾何学図形のほかに、星形やハート型など動物、植物、キャラクター等の形状でも良い。
【００１８】
請求項５は、前記の表面加工の孔は、文字形状であることを特徴とする請求項２に記載の靴紐留め具である。
【００１９】
該文字形状は、ひらがな、カタカナ、英字などほかに、会社のロゴマークや、図形との組み合わせ文字でも良い。
【００２０】
請求項６は、前記の収縮性を有する管状材は、熱により収縮する管状材であることを特徴とする請求項１から請求項５までのいずれか１項に記載の靴紐留め具である。
【００２１】
該熱により収縮する管状材は、熱を与えると収縮するものであればいずれでも良く、例えば、テフロン（登録商標）熱収縮チューブ、フッ素樹脂熱収縮チューブ、PFA熱収縮チューブ、FEP熱収縮チューブ、PTFE熱収縮チューブ、電子線架橋軟質ポリオレフィン樹脂チューブ等でも良い。
【００２２】
請求項７は、前記の収縮性を有する管状材は、形状記憶により収縮する管状材であることを特徴とする請求項１から請求項５までのいずれか１項に記載の靴紐留め具である。
【００２３】
該形状記憶に、より収縮する管状材は、コアでチューブを広げておき、被覆後にコアを取り外して密着させるタイプ、例えばシリコンゴムとポリプロピレンの組み合わせによる常温収縮チューブ等でも良い。
【００２４】
請求項８は、前記の収縮性を有する管状材は、弾性を有し、かつ収縮する管状材であることを特徴とする請求項１から請求項７までのいずれか１項に記載の靴紐留め具である。
【００２５】
該弾性を有し、かつ収縮する管状材は、例えば、シリコンゴム製熱収縮チューブ等でも良い。
【００２６】
請求項９は、前記の収縮性を有する管状材の端部にタグが設けられていることを特徴とする請求項１から請求項８までのいずれか１項に記載の靴紐留め具である。
【００２７】
該タグは、樹脂材や布材、紙材、皮材、金属材等でも良く、文字や図形などがデザインされて表示されたものや宣伝広告用の社名やロゴマークを表示したものでも良い。
【００２８】
請求項１０は、前記の収縮させた管状材を収縮させて被せた靴紐を結んだ状態の結び目の上部にカバー材が設けられていることを特徴とする請求項１から請求項９までのいずれか１項に記載の靴紐留め具である。
【００２９】
該カバー材は、結び目をカバーできるものであればいずれでも良く、樹脂材や布材、紙材、皮材、金属材等でも良く、文字や図形などがデザインされて表示されたものや宣伝広告用の社名やロゴマークを表示したものでも良い。
【考案の効果】
【００３０】
本発明は以下の効果を奏する。
（１）靴紐を取り替えることなく、既存の靴紐の結び目形成部分に被せて簡単に使用することができる。
【００３１】
（２）収縮性を有する管状材を用いることにより、靴紐に被せることが簡単で、収縮により確実に装着できる。
【００３２】
（３）表面加工により、係り止めを確実に行うことができる。
【００３３】
（４）様々な表面加工が可能であり、デザイン性を高めることができる、
【００３４】
（５）タグや結び目カバーにより、デザインや広告宣伝効果を高めることができる。
【図面の簡単な説明】
【００３５】
【図１】本考案による靴紐留め具の実施例を示す平面図である。
【図２】本考案による靴紐留め具の実施例を示す底面図である。
【図３】本考案による靴紐留め具の実施例を示す正面図である。
【図４】本考案による靴紐留め具の実施例を示すＡ−Ａ縦断面図である。
【図５】本考案による靴紐留め具の実施例を示すＢ−Ｂ縦断面図である。
【図６】本考案による靴紐留め具の実施例を示すＣ−Ｃ縦断面図である。
【図７】本考案による靴紐留め具を使用した靴の実施例を示す図である。
【図８】本考案による管状材の切り込みによる表面加工例を示す図である。
【図９】本考案による管状材の幾何学図形穴による表面加工例を示す図である。
【図１０】本考案による管状材の文字形状穴による表面加工例を示す図である。
【考案を実施するための形態】
【００３６】
次に本考案による靴紐留め具が実際上どのように具体化されるかを実施例で説明する。
【００３７】
図１は、本考案による靴紐留め具の実施例を示す平面図であり、図２は、底面図であり、図３は、正面図である。
【００３８】
この靴紐留め具は、テフロン（登録商標）製の熱収縮チューブであり、予め、上面と下面に等間隔で円形の穴が設けられている。上面の穴と下面の穴は互い違いに開けられている。
【００３９】
図７に示すように、この靴紐留め具を、靴紐に被せて収縮させ、結び目を形成されると、穴部が係り止め効果を発揮し、解けにくくなるものである。また、（２）に示すように、結び目部分の上部にカバー材を取り付けると、今までに無い新しい靴のデザインとなり、広告宣伝を行うこともできる。
【００４０】
図８は、管状材の切り込みによる表面加工例を示す図であり、斜めの切り込みや、十字形状の切り込みや、破線状の切り込みや、靴紐の外周をらせん状に切り込みを入れても良い。
【００４１】
図９は、管状材の幾何学図形穴による表面加工例を示す図であり、丸、三角、四角、菱形、多角形、星形などである。
【００４２】
図１０は、管状材の文字形状穴による表面加工例を示す図である。
【００４３】
このように、本考案によれば、靴紐の緩みを、取り替えることなく、既存の靴紐に簡単に取り付けて使用することができ、様々な表面加工により、デザイン性、宣伝効果などを発揮することもでき、タグやカバー材を取り付けることも容易であり、靴全体のデザインとしても、今までにない、新たな個性をを発揮できる靴とすることも可能となる、機能性とデザイン性を兼ね備えた靴紐留め具を実現できるものである。
【符号の説明】
【００４４】
１、靴紐
２、靴紐留め具
３、穴
４、靴
５、タグ
６  カバー材
【図１】
0003221128.tif 000003
【図２】
0003221128.tif 000004
【図３】
0003221128.tif 000005
【図４】
0003221128.tif 000006
【図５】
0003221128.tif 000007
【図６】
0003221128.tif 000008
【図７】
0003221128.tif 000009
【図８】
0003221128.tif 000010
【図９】
0003221128.tif 000011
【図１０】
0003221128.tif 000012
【手続補正書】
【提出日】平成31年2月28日(2019.2.28)
【手続補正１】
【補正対象書類名】実用新案登録請求の範囲
【補正対象項目名】請求項１
【補正方法】変更
【補正の内容】
【請求項１】
凹凸の表面加工が施された収縮性を有する管状材よりなり、靴紐の結び目形成部分に被せ、その後、該管状材を収縮させ、靴紐と密着させ、表面加工部が収縮により係り止めとなることを特徴とする靴紐留め具。
【手続補正２】
【補正対象書類名】実用新案登録請求の範囲
【補正対象項目名】請求項４
【補正方法】変更
【補正の内容】
【請求項４】
前記の表面加工の孔は、幾何学図形であることを特徴とする請求項２に記載の靴紐留め具。